(57)【要約】【課題】補強用リブを有する箱体に発熱体を作業性よく組み付けることができ、また、強度的にも優れた暖房用床パネルを提供する。【解決手段】合成樹脂を成形してなる箱体２を補強用リブ３で区画し、各区画の底面板２１に通電により発熱する発熱体１を塗布、硬化させるとともに、硬化後上記箱体２を裏返し、底面板２１を発熱部として使用する暖房用パネルＡであって、上記発熱体１が熱硬化性樹脂と、金属粉と、導電性カーボンブラックとを含む導電材からなることを特徴とする。【選択図】図１
2005180715.tif 000002
【特許請求の範囲】
【請求項１】
合成樹脂を成形してなる箱体を補強用リブで区画し、各区画の底面板に通電により発熱する発熱体を塗布、硬化させるとともに、硬化後上記箱体を裏返し、底面板を発熱部として使用する暖房用パネルであって、上記発熱体が熱硬化性樹脂と、金属粉と、導電性カーボンブラックとを含む導電材からなることを特徴とする床暖房用パネル。
【請求項２】
上記導電材が導電性接着剤、導電性塗料または導電性ペーストである請求項１に記載の床暖房用パネル。
【請求項３】
上記発熱体が塗布された全区画のうち特定区画のみに通電して部分的に発熱可能とされた請求項１に記載の床暖房用パネル。
【発明の詳細な説明】
【技術分野】
【０００１】
本発明は、暖房用床パネルに関する。さらに詳しくは、浴室ユニットの床パンや、台所の床等を暖めるための暖房用床パネルに関する。
【背景技術】
【０００２】
従来、上記床暖房パネルやそれに用いる発熱体に関しては、種々の先行技術が提案されている。
【特許文献１】特開平５−１２６３４７号公報（第１−３頁、第１〜３図）
【特許文献２】特開平５−２９０９５６号公報（第１−３頁、第１〜３図）
【特許文献３】特開平５−１８２７４９号公報（第１−３頁、第１図、第２図）
【発明の開示】
【発明が解決しようとする課題】
【０００３】
暖房用床パネルは、通常、箱体の底面に発熱体を組み付け、その後、箱体を裏返し、例えば、浴室ユニットの床パンの下方に取付けて冬場の洗い場の冷えを解消するため等に使用される。しかしながら、複雑な形状の成形品、例えば、リブで補強された箱体に発熱体を組み付けることは困難であり、通常、リブその他の補強材を取り除き、底部をフラットな状態として発熱シート等の発熱体を貼り付けることが行なわれている。この場合、リブを取り除くと箱体の剛性が低下し、製品としての強度が劣ったものとなるため、別途補強材を取付けなくてはならず、作業性が悪いという問題がある。本発明はこのような問題を解決し、リブを有する箱体に発熱体を作業性よく組み付けることができるとともに、裏返して使用するとき、強度的にも優れた暖房用床パネルを提供することをその課題とする。
【課題を解決するための手段】
【０００４】
本発明は、上記課題を解決するために考え出されたものであって、つぎのような技術的手段を講じている。すなわち、本発明によれば、合成樹脂を成形してなる箱体を補強用リブで区画し、各区画の底面板に通電により発熱する発熱体を塗布、硬化させるとともに、硬化後上記箱体を裏返し、底面板を発熱部として使用する暖房用パネルであって、上記発熱体が熱硬化性樹脂と、金属粉と、導電性カーボンブラックとを含む導電材からなる床暖房用パネルが提供される。
【０００５】
上記箱体を構成する合成樹脂としては、例えば不飽和ポリエステル樹脂等、熱硬化性樹脂が好ましく用いられ、通常、ガラス繊維を加えてＦＲＰ（繊維強化プラスチックス）として使用される。ＦＲＰは、ＢＭＣ（Ｂｕｌｋ−Ｍｏｌｄｉｎｇ  Ｃｏｍｐｏｕｎｄ）、ＳＭＣ（Ｓｈｅｅｔ−Ｍｏｌｄｉｎｇ  Ｃｏｍｐｏｕｄ）のいずれの形態として用いてもよい。また、上記箱体を構成する合成樹脂としては、ポリエチレン、ポリプロピレン等、熱可塑性樹脂を用いてもよい。
【０００６】
上記導電材は、導電性接着剤、導電性塗料または導電性ペーストのいずれか一つを用いることが好ましい。これらはいずれも、エポキシ系、ウレタン系、アクリル系等の熱硬化性樹脂と金属粉と導電性カーボンブラックとを必須構成成分として含み、さらに、各種樹脂、分散剤、安定剤、溶剤等を含んでもよい。また、上記発熱体が塗布された全区画のうち特定区画のみに通電して部分的に発熱可能としてもよい。
【発明の効果】
【０００７】
合成樹脂を成形してなる箱体を補強用リブで区画し、各区画の底面板に通電により発熱する発熱体を塗布、硬化させるとともに、硬化後上記箱体を裏返し、底面板を発熱部として使用するため、発熱体を作業性よく組み付けることができるとともに、箱体を補強するリブがそのまま使用された強度的に優れた暖房用床パネルを提供することができる。
【０００８】
上記導電材は、導電性接着剤、導電性塗料または導電性ペーストのいずれか一つが用いられ、これらはいずれも、熱硬化性樹脂と金属粉と導電性カーボンブラックとを必須構成成分として含むため、通電により発熱することができる。また、箱体の底面板に発熱体が塗布された全区画のうち特定区画のみに通電して部分的に発熱できるため、所望の部分を選択的に床暖房することができる。
【発明を実施するための最良の形態】
【０００９】
以下、本発明の実施形態について図面を参照して、詳細に説明する。図１は、本発明にかかる床暖房用パネルＡの裏側を示す斜視図である。図１においてＦＲＰからなる箱体２は、内設された補強用リブ３によって６個の区画に区切られ、各区画の底面板２１には、各々発熱体１としての導電性塗料が塗布されるとともに、補強用リブ３の適所には、リード線５を通すための溝部３１が設けられている。
【００１０】
この導電性塗料は、導電性カーボンブラック２５％（重量％、以下も同じ）、熱硬化性ウレタン樹脂２３％、銅を含む金属粉１５％、分散剤８％、安定剤５％、溶剤２４％を配合、ブレンドし、ローラー等により塗布可能としたものが用いられる。上記金属粉、導電性カーボンブラックの含有量を変えることにより、あるいは、塗布層の厚みを調節することにより、各種の用途に向けて床暖房用パネルＡの発熱量を調節することができる。
【００１１】
また、電極４は導電性塗料を加熱する前にその端部を浸漬し、加熱して上記導電性塗料が硬化することによって、所定位置にしっかりと取付けられる。リード線５は、各電極４どうしを接続するとともに、コントローラ６に接続され、このコントローラ６は、電源のオン・オフ、電圧のコントロール、サーモスタットによる温度制御回路、特定区画の発熱体１への通電のオン・オフ等の各種制御を行う。
【００１２】
図２は、図１におけるＸ−Ｘ線に沿う断面図であり、図１に示した箱体を裏返して床暖房パネルＡとして用いる状態を示す。図２からよくわかるように、箱体２の底面板２１の下面には発熱体１としての導電性塗料が塗布されており、通電することによって発熱して底面板２１を暖め、かくして底面板２１は発熱部として機能する。図３は、図１に示した箱体を裏返し、床暖房パネルＡとして用いるとともに、コントローラ６によってハッチで示した片側部分のみに通電し、暖房する状態を示す。
【００１３】
既述したように、コントローラ６は、箱体２の発熱体１が塗布された全区画のうち特定区画のみに通電して部分的に発熱できるため、キッチンの床全体を暖房するときは両側に通電し、主婦が立ち仕事をするとき等は片側部分だけ通電して暖房する等、切替え自在とされる。さらに電圧を調整することによって好みの暖房温度とし、サーモスタットにより適当温度に保つ等、種々の温度制御が可能となり、上記キッチンの床のみならず、冬場の浴室の床パンの暖房等種々の用途に供することができる。また、箱体２内を補給用リブ３をそのまま用いて区画するため、発熱体１を作業性よく組み付けることができるとともに、強度的にも優れた暖房用床パネルとすることができる。
【図面の簡単な説明】
【００１４】
【図１】本発明にかかる床暖房用パネルの裏側を示す斜視図である。
【図２】図１のＸ−Ｘ線に沿う断面図であり、箱体を裏返して床暖房パネルとして用いる状態を示す。
【図３】上記床暖房パネルの片側部分のみに通電し、暖房する状態を示す。
【符号の説明】
【００１５】
Ａ          本発明にかかる床暖房用パネル
１          発熱体
２          箱体
２１        底面板
３          補強用リブ
３１        溝部
４          電極
５          リード線
６          コントローラ
【図１】
2005180715.tif 000003
【図２】
2005180715.tif 000004
【図３】
2005180715.tif 000005